(57)【要約】【課題】演出表示装置に表示される演出図柄の表示を邪魔することなく、遊技中の遊技に関連する遊技情報を一カ所に集中して表示可能にする。【解決手段】遊技盤３の後方に、遊技に関する演出画像を表示可能な表示部２０１を有する演出表示装置２０を配置して、遊技領域９と表示部２０１とが前後に重なるように組み合わせることによって、遊技領域９と表示部２０１とが前後に重畳する領域に、演出画像を表示可能な表示可能領域９３を形成する。遊技領域９内で、かつ表示可能領域９３の上方に、演出画像が表示不能な表示不能領域９１を形成する。表示不能領域９１内に、遊技中の遊技状態に関連する遊技情報を集中的に表示する遊技情報表示器２９を配置する。【選択図】  図４
2008086552.tif 000002
【特許請求の範囲】
【請求項１】
遊技盤の前面に形成される遊技領域に遊技球が打出されることにより、所定の遊技が行われるようにした弾球遊技機において、
前記遊技盤の後方に、遊技に関する演出画像を表示可能な表示部を有する演出表示装置を配置して、前記遊技領域と前記表示部とが前後に重なるように組み合わせることによって、前記遊技領域と前記表示部とが前後に重畳する領域に、前記演出画像を表示可能な表示可能領域を形成し、また、前記遊技領域内で、かつ前記表示可能領域の上方または下方に、前記演出画像が表示不能な表示不能領域を形成し、上方または下方の前記表示不能領域内に、遊技中の遊技状態に関連する遊技情報を集中的に表示する遊技情報表示器を配置したことを特徴とする弾球遊技機。
【請求項２】
前記遊技領域に、遊技球が前記演出画像のうち遊技に関連する数字や図柄等で構成される演出図柄を表示可能な演出図柄表示領域部に流下しないように、遊技球の流下方向を規制する球受誘導部材を設け、
前記遊技情報表示器を、前記球受誘導部材の下方に配置したことを特徴とする請求項１記載の弾球遊技機。
【請求項３】
前記遊技盤を透明部材により形成するとともに、前記表示不能領域に、その後方を視認不能とし、かつ機種に関連する機種情報が描画された定形表示部材を設けたことを特徴とする請求項１または２記載の弾球遊技機。
【請求項４】
前記遊技情報表示器は、遊技中の遊技状態に関連する全ての前記遊技情報を集中的に表示可能であって、前記遊技情報表示器以外の箇所には、光源の点灯及び消灯によって前記遊技情報を表示させる他の表示器が設けられていないことを特徴とする請求項１〜３のいずれかに記載の弾球遊技機。
【発明の詳細な説明】
【技術分野】
【０００１】
本発明は、円形の遊技領域に遊技球が打出されることにより、所定の遊技が行われるようにした弾球遊技機に関する。
【背景技術】
【０００２】
弾球遊技機（パチンコ機）においては、遊技球が打ち込まれる円形の遊技領域の裏面側に、数字や図柄等で構成される演出図柄を変動表示可能な矩形の表示部を有する演出表示装置を配置することによって、遊技領域に、抽選結果に基づいて、所定の演出で演出図柄を変動表示させるようにしている。また、遊技領域には、実際の抽選結果を表示するための特別図柄や、遊技領域に設けられた始動入賞口に入賞した遊技球のうち未だ特別図柄の変動表示に用いられていない遊技球の数を所定上限保留球として表示する保留球表示部等が設けられている（例えば、特許文献１参照）。
【０００３】
なお、演出図柄の表示と特別図柄の表示とを別個に行う理由は、実際の抽選結果報知のために使用される特別図柄に対しては、その表示に関しては演出等に法規上の制約があるが、演出図柄に対しては、遊技者を引きつけるための演出表示画面という位置づけであるため、特別図柄に課せられた表示に関する法規制を受けないからである。
【特許文献１】特開２００３−１４４６５２号公報
【発明の開示】
【発明が解決しようとする課題】
【０００４】
上述のような弾球遊技機においては、特別図柄表示部や保留球表示部等の遊技中の遊技に関連する遊技情報を表示する各表示部が、表示領域内に散乱して配置されているため、遊技者は全ての遊技情報を集中して確認することができない。また、各表示部をそれぞれの位置に取付けるための多大な作業工数が必要となりコスト高を招く問題を有している。
【０００５】
本発明は、上述のような課題に鑑み、演出表示装置に表示される演出図柄の表示を邪魔することなく、遊技中の遊技に関連する遊技情報を一カ所に集中して表示可能にした弾球遊技機を提供することを目的とする。
【課題を解決するための手段】
【０００６】
本発明によると、上記課題は、次のようにして解決される。
（１）遊技盤の前面に形成される遊技領域に遊技球が打出されることにより、所定の遊技が行われるようにした弾球遊技機において、前記遊技盤の後方に、遊技に関する演出画像を表示可能な表示部を有する演出表示装置を配置して、前記遊技領域と前記表示部とが前後に重なるように組み合わせることによって、前記遊技領域と前記表示部とが前後に重畳する領域に、前記演出画像を表示可能な表示可能領域を形成し、また、前記遊技領域内で、かつ前記表示可能領域の上方または下方に、前記演出画像が表示不能な表示不能領域を形成し、上方または下方の前記表示不能領域内に、遊技中の遊技状態に関連する遊技情報を集中的に表示する遊技情報表示器を配置する。
【０００７】
（２）上記(１)項において、前記遊技領域に、遊技球が前記演出画像のうち遊技に関連する数字や図柄等で構成される演出図柄を表示可能な演出図柄表示領域部に流下しないように、遊技球の流下方向を規制する球受誘導部材を設け、前記遊技情報表示器を、前記球受誘導部材の下方に配置する。
【０００８】
（３）上記(１)または(２)項において、前記遊技盤を透明部材により形成するとともに、前記表示不能領域に、その後方を視認不能とし、かつ機種に関連する機種情報が描画された定形表示部材を設ける。
【０００９】
（４）上記(１)〜(３)項のいずれかにおいて、前記遊技情報表示器は、遊技中の遊技状態に関連する全ての前記遊技情報を集中的に表示可能であって、前記遊技情報表示器以外の箇所には、光源の点灯及び消灯によって前記遊技情報を表示させる他の表示器が設けられていない。
【発明の効果】
【００１０】
本発明によれば、次のような効果が奏せられる。
請求項１記載の発明によると、表示不能領域内に遊技中の遊技状態に関連する遊技情報を集中的に表示する遊技情報表示器を配置したことにより、表示可能領域に表示される演出画像の表示を邪魔することなく、遊技情報を一カ所に集中して表示させることができる。これにより、遊技者は、遊技中の遊技状態を集中して確認することができる。また、遊技状態を表示するための各表示部を遊技情報表示器に一括して取り付けることができ、組付工数を削減してコストの低減を図ることができる。
【００１１】
請求項２記載の発明によると、遊技情報表示器の前面を遊技球が流下することがないため、遊技情報表示器に表示される遊技状態の表示が遮られることがない。よって、遊技情報表示器の表示が見難くなることはない。
【００１２】
請求項３記載の発明によると、定形表示部材をもって、透明部材により形成される遊技盤の後方を視認不能とすることができるため、見栄えを良好にすることができる。また、機種に関連する機種情報と遊技中の遊技状態に関連する遊技情報とを一括して、表示不能領域に表示させることができる。
【００１３】
請求項４記載の発明によると、遊技者は、他の箇所を気にすることなく、遊技中の遊技状態をより集中して確認することができる。
【発明を実施するための最良の形態】
【００１４】
以下、本発明の一実施形態を、図面に基づいて説明する。図１は、本発明の一実施形態を適用した弾球遊技機の正面図、図２は、前扉を開けた状態の弾球遊技機の正面図、図３は、弾球遊技機の分解斜視図、図４は、遊技盤の正面図、図５は、図４におけるＶーＶ線に沿う縦断面図、図６は、遊技盤の裏面図、図７は、斜め後方から見た要部の分解斜視図、図８は、斜め後方から見た表示枠部材の分解斜視図である。なお、以下の説明においては、図１、２における図面手前を「前方」とし、図面奥側を「後方」とし、左方を「左方」とし、右方を「右方」とする。
【００１５】
図１〜３に示すように、弾球遊技機１は、遊技店の遊技島に据え付けられる外枠２と、外枠２に嵌め込まれる遊技盤３と、中央部に円形のガラス板５１が嵌め込まれ、外枠２の左部に上下方向のヒンジ軸を有するヒンジ６により開閉可能に枢着された前扉５とを備え、前面右下部に設けられたハンドル４ａを時計方向へ回転操作することにより、前扉５の下方に設けられた球貯留皿４ｂに貯留されている遊技球が図示略の発射装置から後述の遊技領域９に打出されて、所定の遊技を行うことができる。
【００１６】
前扉５は、閉じるとガラス板５１を透して遊技領域９を視認することができるように遊技盤３の表面側を覆う。なお、ガラス板５１は、遊技領域９の形状、大きさとほぼ同一形状に形成される。
【００１７】
遊技盤３は、アクリル樹脂等の透明の合成樹脂板により正面視ほぼ方形に形成され、その表面には、ガイドレール７、８によって包囲される円形（楕円形を含む）の遊技領域９が形成される。ハンドル４ａの操作に基いて、発射装置から発射される遊技球は、ガイドレール７、８により誘導されて遊技領域９に打出される。なお、遊技盤３は、完全な透明である必要はなく、後述の演出画像を透視でき得る程度の半透明であっても良いし、また、演出画像を表示させる領域を開口した不透明のものであっても良い。
【００１８】
主に図４に示すように、遊技盤３の遊技領域９には、遊技領域９に打出された遊技球の流下方向を規制する正面視ほぼ眉型の透明な合成樹脂製の球受誘導部材１０と、遊技領域９を流下する遊技球が通過可能な普通図柄作動ゲート１１と、遊技球が入球可能な入球口１２ａと、遊技球の流下方向を変化させる風車１３と、透明な合成樹脂製のステージ１４と、遊技球が入賞または入球可能な図柄始動口１５及び入賞口１２ｂ〜１２ｅと、遊技者にとって不利な第１状態（遊技球が実質的に入賞不能な閉鎖状態）及び遊技者にとって有利な第２状態（遊技球が入賞可能な開放状態）に遷移可能な入賞装置１６が配置されている。また、遊技領域９の最下部には、遊技領域９に打出された遊技球を遊技盤３の裏面側に排出するアウト口１７が設けられている。なお、球受誘導部材１０及びステージ１４は、完全な透明である必要はなく、演出画像を透視でき得る程度の半透明であっても良いし、不透明であっても良い。
【００１９】
ステージ１４は、遊技盤３のほぼ中央部に穿設された横長の開口３１を貫通して、遊技盤３の裏面側に突出するように取り付けられるとともに、上面には、遊技領域９を流下する遊技球のうち入球口１２ａに入球した遊技球を受け止めて、左右、前後に転動させ得るステージ部１４１が形成され、また、前面には、ステージ部１４１を転動した遊技球のうちステージ部１４１の中央部に設けられた遊技球落下部（図示略）に落下した遊技球を図柄始動口１５の真上に排出するための遊技球排出口１４３が形成されている。
【００２０】
なお、遊技領域９に打出された遊技球は、遊技盤３の遊技領域９に植設された多数の遊技釘に当接しながら遊技領域９を流下するが、遊技釘は、図面簡素化のため省略してある。
【００２１】
図６、７に示すように、遊技盤３の裏面には、入球口１２ａに入球した遊技球をステージ１４のステージ部１４１上に誘導する透明な誘導路１８と、図柄始動口１５の下方に設けられた電動開閉部材（チューリップ）２７（図２〜４参照）及び入賞装置１６を開閉駆動させるソレノイド、センサ、リンク等により構成される駆動装置１９等の部品が取り付けられている。
【００２２】
入賞装置１６は、後述のように遊技が特定遊技状態となって第２状態に遷移すると、入賞装置１６内に設けた入賞センサ（図示略）が、遊技球が１０個入賞したことを検知するか、または開放してから３０秒が経過すると閉鎖される。また開放している最中、入賞装置１６内に設けた特定領域センサ（図示略）が遊技球の入賞を検出した場合には、閉鎖後に再度開放する。これを最大１５回まで繰返し可能に設定してある。
【００２３】
遊技球が普通図柄作動ゲート１１を通過すると、所定の確率に基づいて、準特賞状態を生起するか否かが判定され、その判定の結果をもって、後述の遊技情報表示器２９の普通図柄表示部が変動し、その後に所定の図柄を確定表示させる。準特賞状態が生起されると、電動開閉部材２７が所定時間、開放する。
【００２４】
主に図３に示すように、遊技盤３の裏面側には、液晶ディスプレイ等により構成される演出表示装置２０が、遊技盤３の裏面から所定量離間した位置に配置される。なお、遊技盤３は、前扉３の裏面側に取り付けられ、演出表示装置２０は、外枠２側に取り付けられる。これにより、前扉５を閉じると、遊技盤３と演出表示装置２０は、互いに前後に重なり合う。
【００２５】
演出表示装置２０の横長矩形の表示部２０１（図３参照）には、遊技に関する演出画像及び数字や図柄等で構成される演出図柄が表示され、これらの画像及び図柄は、遊技盤３を透して遊技機１の前面から視認することができる。
【００２６】
表示装置２０は、表示部２０１の幅Ｗ１（図３参照）が遊技領域９の左右方向の幅Ｗ２（図４参照）とほぼ同一で、かつ高さＨ１（図３参照）が遊技領域９の高さＨ２より小さいものが用いられる。これにより、表示部２０１に表示される画像の４隅を除く部分を、遊技盤３を透して遊技領域９の幅一杯に表示させることができる。
【００２７】
また、円形の遊技領域９と矩形の表示部２０１とを前後に重なるように配置することによって、遊技盤３における遊技領域９と演出表示装置２０の表示部２０１とが前後に重畳する部分には、表示部２０１に表示された画像及び図柄が表示される表示可能領域９３（図６に斜線で示す領域）が形成され、遊技領域９内における表示部２０１の上方及び下方には、画像及び図柄が表示されない上、下の半月状の表示不能領域９１、９２が形成される（図４参照）。
【００２８】
演出表示装置２０は、表示部２０１の下縁が各入賞口１２ｂ〜１２ｅの位置にほぼ合致し、また、同じく上縁が眉型の球受誘導部材１０の頂上部１０ａより下方になるように配置される。
【００２９】
演出表示装置２０に表示される画像のうち遊技に関する数字や図柄等で構成される演出図柄は、表示可能領域９３内で、かつ遊技領域９における球受誘導部材１０とステージ１４との間に２点鎖線で示す演出図柄表示領域９４（図２、４参照）に変動表示される。
【００３０】
遊技領域９に打出された遊技球が図柄始動口１５に入賞すると、これを契機に所定の確率に基づいて、演出図柄が演出図柄表示領域９４内で変動表示した後、所定時間経過後、停止して確定表示される。そして、確定表示された演出図柄の組み合わせが、予め定められた表示態様、例えば、同一の数字や図柄が揃った場合には、特定遊技状態（所謂、大当り状態）を生起させ、入賞装置１６を第１状態から第２状態に遷移させ、遊技者に所定の遊技価値を付与するようになっている。
【００３１】
上側の表示不能領域９１は、遊技盤３の後方、すなわち遊技機１の内部が見えないように、後述の定形表示部材２８により隠蔽される。また、下側の表示不能領域９２及び遊技領域９から外れた領域は、遊技盤３を透して後方が視認できないように、表示枠部材２１により隠蔽される。
【００３２】
表示枠部材２１は、不透明（半透明を含む）の合成樹脂製で形成されるとともに、遊技盤３の裏面側と演出表示装置２０との間に介在され、表示可能領域９３の周囲を囲むような枠状をなし、表示部２０１の周囲と遊技盤３の裏面との間の隙間を遮蔽する上下及び左右の遮蔽部２１１、２１２、２１３，２１４が設けられている。
【００３３】
各遮蔽部２１１〜２１４の奥行寸法は、ステージ１４、誘導路１８、駆動装置１９のうち最も後方へ突出する突出量より大になるように設定される。これにより、演出表示装置２０を遊技盤３の裏面側に配置した際、各遮蔽部２１１〜２１４は、演出表示装置２０の表示部２０１をステージ１４、誘導路１８、駆動装置１９等に干渉させることなく、演出表示装置２０の表示部２０１と遊技盤３の裏面との間の隙間を遮蔽し、隙間から遊技機１の内部が露呈することを防止して、見栄えの向上を図ることができる。
【００３４】
上遮蔽部２１１を除く各遮蔽部２１２、２１３、２１４の前端には、遊技盤３における表示可能領域９３から外れた下及び左右の領域の後方が視認不能とする下及び左右の枠部２１６、２１７、２１８が連設されている。
【００３５】
なお、各遮蔽部２１１〜２１４の後端は、演出表示装置２０の前面との間に若干の隙間が生じるようにするか、または、ゴム、スポンジ等の緩衝材を介して、演出表示装置２０の前面に密接される。
【００３６】
下遮蔽部２１２の中央部には、駆動装置１９の左右及び上方を覆うように、上方へ隆起した隆起部２１２ａが形成されている。
【００３７】
表示枠部材２１における下枠部２１６には、各入賞口１２ｂ〜１２ｅに入賞した遊技球を下枠部２１６の裏面側に排出させる排出口２１６ａ〜２１６ｄ（図８参照）が穿設されている。
【００３８】
各入賞口１２ｂ〜１２ｅ、図柄始動口１５、入賞装置１６及び電動開閉部材２７に入賞した遊技球は、それぞれのセンサにより検知されて、下枠部２１６の裏面側に配置される透明な遊技球通路２６を通って遊技機１の裏面に排出される。
【００３９】
主に図８に示すように、表示枠部材２１における左、右の遮蔽部２１３、２１４の内側面には、必要に応じて、表示枠部材２１と異なる彩色、例えば表面にクロムメッキ等が施された左、右の装飾板２３、２４が着脱可能に取り付けられる。
【００４０】
表示枠部材２１における上遮蔽部２１１の前端には、上側の表示不能領域９１の後方が視認不能とするように遮蔽する正面視ほぼ横長矩形の定形表示部材２８が設けられる。
【００４１】
定形表示部材２８には、その後方が視認不能となるようにその表面または裏面に模様、色彩等が施されるとともに、機種名、大当りになる確率、賞球数等の機種に関連する機種情報２８１（２点鎖線で示す部分）が描画されている。
【００４２】
定形表示部材２８の裏面側には、表面に図示略の複数のＬＥＤまたはランプ等の発光体を実装した電装基板２５と、遊技中の遊技状態に関連する全ての遊技情報を表示するための図示略のＬＥＤ、７セグメントＬＥＤ及び基板等から構成される遊技情報表示器２９が配置される。
【００４３】
電装基板２５に実装された発光体が発光すると、その照明により、定形表示部材２８の裏面を照射して、特に、機種情報２８１が描画された部分を明るく照らすことによって、上側の表示不能領域９１に機種情報２８１を表示して遊技者に報知する。
【００４４】
遊技情報表示器２９は、遊技情報を定形表示部材２８に設けた開口または透明部分を透して、上側の表示不能領域９１内で、かつ球受誘導部材１０の頂上部１０ａの下方に、遊技盤３の前面から視認することができるように配置される。なお、遊技情報表示器２９は、下側の表示不能領域９２内の適所に、遊技盤３の前面から視認することができるように設けても良い。
【００４５】
遊技情報表示器２９には、図柄始動口１５に入賞したことを契機に変動して、入賞装置１６が第１状態から第２状態に遷移したか否かを報知するための数字または図形を表示する特別図柄の表示部と、始動入賞口１５に入賞した遊技球のうち未だ演出図柄及び特別図柄の変動表示に用いられていない遊技球の数を所定上限（例えば４個）保留球として表示する保留球の表示部と、入賞装置１６が第１状態に遷移したときの入賞装置１６の開閉処理回数を示す表示部と、遊技球が普通図柄作動ゲート１１を通過したことを契機に変動する普通図柄の表示部と、普通図柄作動ゲート１１を通過した遊技球のうち未だ普通図柄の変動表示に用いられていない遊技球の数を所定上限（例えば４個）保留球として表示する表示部等の遊技中の遊技状態に関連する全ての遊技情報を表示する表示部が集中的に設けられている。
【００４６】
なお、遊技情報表示器２９は、遊技中の遊技状態に関連する上記の全ての遊技情報を集中的に表示可能である。また、遊技情報表示器２９以外の箇所で、かつ演出表示装置２０の表示部２０１を除く領域には、光源の点灯及び消灯によって遊技情報を表示させる他の表示器は設けられていない。
【００４７】
遊技領域９に打ち込まれた遊技球が図柄始動口１５に入賞すると、これを契機に演出図柄表示領域９４に表示されている演出図柄は、遊技情報表示器２９の特別図柄の表示部が変動を開始して停止するまでの間、特別図柄の表示部の変動と同期して、多彩な演出を伴った変動動作を行った後、所定時間経過後、停止して確定表示される。そして、確定表示された演出図柄の組み合わせが、予め定められた表示態様になった場合には、特定遊技状態を生起させ、入賞装置１６を第１状態から第２状態に遷移させ、遊技者に所定の遊技価値を付与するようになっている。
【００４８】
以上のように、本発明に係わる弾球遊技機においては、遊技盤３の裏面側に、遊技に関する演出画像を表示可能な表示部２０１を有する演出表示装置２０を配置して、遊技領域９と表示部２０１とが前後に重なるように組み合わせることによって、遊技領域９と表示部２０１とが前後に重畳する領域に、演出画像を表示可能な表示可能領域９３を形成し、また、遊技領域９内で、かつ表示可能領域９３の上方に、演出画像が表示不能な表示不能領域９１を形成し、表示不能領域９１内に、遊技中の遊技状態に関連する全ての遊技情報を集中的に表示する遊技情報表示器２９を配置したことによって、表示不能領域９１に全ての遊技情報を集中して表示させることができる。よって、遊技者は、遊技中の遊技状態を集中して確認することができる。また、遊技情報表示器２９により演出表示装置２０に表示される演出画像が遮られることがない。さらには、複数の表示部を一括して取り付けることができ、組付け工数及びコストの削減を図ることができる。
【００４９】
また、遊技領域９に、遊技球が演出画像のうち遊技に関連する数字や図柄等で構成される演出図柄を表示可能な演出図柄表示領域部９４に流下しないように、遊技球の流下方向を規制する球受誘導部材１０を設け、遊技情報表示器２９を、球受誘導部材１０の下方に配置したことにより、遊技情報表示器２９の前面を遊技球が流下することがないため、遊技情報表示器２９に表示される遊技中の遊技状態の表示が遮られることがない。よって、遊技情報表示器２９の表示が見難くなることはない。
【００５０】
遊技盤３を透明部材により形成するとともに、表示不能領域９１に、その後方を視認不能とし、かつ機種に関連する機種情報２８１が描画された定形表示部材２８を設けたことにより、透明部材により形成される遊技盤の後方を視認不能とすることができ、見栄えを良好にすることができる。また、機種に関連する機種情報２８１と遊技中の遊技状態に関連する遊技情報とを一括して、表示不能領域９１に表示させることができる。
【００５１】
遊技情報表示器２９は、遊技中の遊技状態に関連する遊技情報を他の箇所に表示させることなく、全ての遊技情報を集中的に表示することができるため、遊技者は、他の箇所を気にすることなく、遊技中の遊技状態をより集中して確認することができる。
【図面の簡単な説明】
【００５２】
【図１】本発明の一実施形態を適用した弾球遊技機の正面図である。
【図２】前扉を開けた状態の弾球遊技機の正面図である。
【図３】弾球遊技機の分解斜視図である。
【図４】遊技盤の正面図である。
【図５】図４におけるＶーＶ線に沿う縦断面図である。
【図６】遊技盤の裏面図である。
【図７】要部の分解斜視図である。
【図８】斜め後方から見た表示枠部材の分解斜視図である。
【符号の説明】
【００５３】
１  弾球遊技機
２  外枠
３  遊技盤
４ａ  ハンドル
４ｂ  球貯留皿
５  前扉
６  ヒンジ
７,８  ガイドレール
９  遊技領域
１０  球受誘導部材
１０ａ  頂上部
１１  普通図柄作動ゲート
１２ａ  入球口
１２ｂ,１２ｃ,１２ｄ,１２ｅ  入賞口
１３  風車
１４  ステージ
１５  図柄始動口
１６  入賞装置
１７  アウト口
１８  誘導路
１９  駆動装置
２０  演出表示装置
２１  表示枠部材
２３、２４  装飾板
２５  電装基板
２６  遊技球通路
２７  電動開閉部材（チューリップ）
２８  定形表示部材
２９  遊技情報表示器
３１  開口
５１  ガラス板
９１,９２  表示不能領域
９３  表示可能領域
９４  演出図柄表示領域
１４１  ステージ部
１４３  遊技球排出口
２０１  表示部
２１１  上遮蔽部
２１２  下遮蔽部
２１２ａ  隆起部
２１３  左遮蔽部
２１４  右遮蔽部
２１６  下枠部
２１６ａ、２１６ｂ、２１６ｃ、２１６ｄ  排出口
２１７  左枠部
２１８  右枠部
２８１  機種情報
【図１】
2008086552.tif 000003
【図２】
2008086552.tif 000004
【図３】
2008086552.tif 000005
【図４】
2008086552.tif 000006
【図５】
2008086552.tif 000007
【図６】
2008086552.tif 000008
【図７】
2008086552.tif 000009
【図８】
2008086552.tif 000010